(57)【特許請求の範囲】
【請求項１】
フード体１と、電動モータ６によりファン５を回転する送風機３と、この送風機３の排気経路を開閉する電動式排気シャッター１０と、運転指令信号、停止指令信号を出力する操作パネル２０と、この運転指令信号、停止指令信号に基づいて前記電動モータ６、電動式排気シャッター１０を駆動・停止する制御部２１を備え、
前記制御部２１は、運転指令信号が入力されると、まず電動式排気シャッター１０を開作動し、その後電動式排気シャッター１０が全開状態となるまでの時間よりも短い時間が経過したら送風機３の電動モータ６に通電するマイクロコンピュータ２６を有することを特徴とするレンジフードの運転制御装置。
【請求項２】
フード体１と、電動モータ６によりファン５を回転する送風機３と、この送風機３の排気経路を開閉する電動式排気シャッター１０と、運転指令信号、停止指令信号を出力する操作パネル２０と、この運転指令信号、停止指令信号に基づいて前記電動モータ６、電動式排気シャッター１０を駆動・停止する制御部２１を備え、
前記制御部２１は、運転指令信号が入力されると、まず電動式排気シャッター１０を開作動し、その後電動式排気シャッター１０が全開状態となるまでの時間から送風機３の立上り時間を差し引いた時間が経過したら送風機３の電動モータ６に通電するマイクロコンピュータ２６を有することを特徴とするレンジフードの運転制御装置。
【請求項３】
前記マイクロコンピュータ２６は、停止指令信号が入力されると、まず送風機３の電動モータ６への通電を止め、その後送風機３のファン５が停止するまでの時間よりも短い時間経過後に電動式シャッター１０を閉作動する機能を有するものとした請求項１又は２記載のレンジフードの運転制御装置。
【請求項４】
前記マイクロコンピュータ２６は、停止指令信号が入力されると、まず送風機３の電動モータ６への通電を止め、その後送風機３のファン５が停止するまでの時間経過後に電動式シャッター１０を閉作動する機能を有するものとした請求項１又は２記載のレンジフードの運転制御装置。
【発明の詳細な説明】
【０００１】
【発明の属する技術分野】
本発明は、調理時に発生した煙等を屋外に排気すると共に、その排気経路に電動式排気シャッターを備えたレンジフードの運転制御装置に関する。
【０００２】
【従来の技術】
フード体にフィルターと送風機を設け、この送風機の吐出口を排気ダクトに連通し、送風機を駆動することで調理時に発生した煙等をフード体内に補捉してフィルターを通して排気ダクトより屋外に排出するレンジフードが知られている。
【０００３】
前述のレンジフードであると、強風時などに外気が排気ダクトを通って送風機に逆流し、フード体から室内に吹き込むことがある。このために、前述の送風機の吐出口付近に電動式排気シャッターを設け、送風機駆動時に電動式排気シャッターを開とし、送風機停止時には電動式排気シャッターを閉として外気が室内に吹き込むことがないようにしたレンジフードが提案されている。
【０００４】
【発明が解決しようとする課題】
前述の電動式排気シャッターを備えたレンジフードの運転制御装置は、操作パネルの運転ボタンをＯＮすると送風機の電動モータと電動式排気シャッターの電動モータに同時に通電し、停止ボタンをＯＮすると前述の各電動モータへの通電を同時に停止するものとしてある。
【０００５】
前述の運転制御装置であると、運転ボタンをＯＮすると送風機が運転を開始すると同時に電動式排気シャッターが開きはじめるが、電動式排気シャッターが開ききる（全開状態）前に、既に送風機は駆動（回転）しているため、送風機の吐出口を一部閉塞した状態で送風機が駆動する。
【０００６】
このために、送風機の吐出抵抗が大きく送風機のファンの回転が上昇し、一時的に騒音が大きくなったり、異音を発生する。また、送風機が吐出した空気の一部が吸込口に向けて逆流し、ファンの吸込口付近で乱流が起こり、フィルターがバタつくことがあって、レンジフードの使用者に不快感を与える。
【０００７】
このことを解消する運転制御装置が提案されている。例えば電動式排気シャッターにリミットスイッチを、シャッターが全開状態の時にＯＮするように設け、運転ボタンをＯＮすると、まず電動式排気シャッターの電動モータに通電して開き作動し、全開状態となるとリミットスイッチがＯＮし、そのリミットスイッチのＯＮ信号で送風機の電動モータに通電して送風機を駆動するようにしている。
【０００８】
この運転制御装置であれば、電動式排気シャッターが全開した後に送風機が駆動することで、前述の問題点を解消できる。
【０００９】
しかしながら、前述の運転制御装置であると、電動式排気シャッターに設けたリミットスイッチ、そのリミットスイッチに接続した配線等のためにコストが高くなるし、面倒な配線作業のためにレンジフードの組立作業が面倒となる。
【００１０】
また、送風機の電動モータに通電してからファンが所定の回転速度となるまでには若干の時間遅れ、例えば３〜５秒があるので、前述のようにリミットスイッチがＯＮしてから電動モータに通電すると電動式排気シャッターが全開状態となってから若干の時間経過後に送風機が所定風量となる。
【００１１】
このために、運転ボタンをＯＮしてからレンジフードが運転開始するまでの時間が長くなって、使用者に違和感を与えるし、煙等の発生が多い調理時には煙等がフード体から溢れて室内に拡散することがある。
【００１２】
そこで、本発明は前述の課題を解決できるようにしたレンジフードの運転制御装置を提供することを目的とする。
【００１３】
【課題を解決するための手段】
第１の発明は、フード体１と、電動モータ６によりファン５を回転する送風機３と、この送風機３の排気経路を開閉する電動式排気シャッター１０と、運転指令信号、停止指令信号を出力する操作パネル２０と、この運転指令信号、停止指令信号に基づいて前記電動モータ６、電動式排気シャッター１０を駆動・停止する制御部２１を備え、
前記制御部２１は、運転指令信号が入力されると、まず電動式排気シャッター１０を開作動し、その後電動式排気シャッター１０が全開状態となるまでの時間よりも短い時間が経過したら送風機３の電動モータ６に通電するマイクロコンピュータ２６を有することを特徴とするレンジフードの運転制御装置である。
【００１４】
第２の発明は、フード体１と、電動モータ６によりファン５を回転する送風機３と、この送風機３の排気経路を開閉する電動式排気シャッター１０と、運転指令信号、停止指令信号を出力する操作パネル２０と、この運転指令信号、停止指令信号に基づいて前記電動モータ６、電動式排気シャッター１０を駆動・停止する制御部２１を備え、
前記制御部２１は、運転指令信号が入力されると、まず電動式排気シャッター１０を開作動し、その後電動式排気シャッター１０が全開状態となるまでの時間から送風機３の立上り時間を差し引いた時間が経過したら送風機３の電動モータ６に通電するマイクロコンピュータ２６を有することを特徴とするレンジフードの運転制御装置である。
【００１５】
第３の発明は、第１又は第２の発明におけるマイクロコンピュータ２６は、停止指令信号が入力されると、まず送風機３の電動モータ６への通電を止め、その後送風機３のファン５が停止するまでの時間よりも短い時間経過後に電動式シャッター１０を閉作動する機能を有するものとしたレンジフードの運転制御装置である。
【００１６】
第４の発明は、第１又は第２の発明におけるマイクロコンピュータ２６は、停止指令信号が入力されると、まず送風機３の電動モータ６への通電を止め、その後送風機３のファン５が停止するまでの時間経過後に電動式シャッター１０を閉作動する機能を有するものとしたレンジフードの運転制御装置である。
【００１７】
【作    用】
第１の発明によれば、レンジフードを運転する時に電動式排気シャッター１０が開状態となってから送風機３が所定風量となるので、レンジフード運転時に一時的に騒音が大きくなったり、異音が発生したり、フィルターがバタつくことがなく、使用者に不快感を与えることがないし、運転操作してからレンジフードが運転開始するまでの時間が短く、使用者に違和感を与えることがないと共に、煙等の発生の多い調理時に煙等がフード体から溢れて室内に拡散することがない。
【００１８】
また、制御部２１のマイクロコンピュータ２６によって送風機３の電動モータ６への通電時期を遅らせるだけであって、電動式排気シャッターにマイクロスイッチを設けなくとも良いから、コストが安くなるし、マイクロスイッチへの配線が不要でレンジフードの組立作業が簡単となる。
【００１９】
第２の発明によれば、レンジフードを運転する時に電動式排気シャッター１０が全開状態となると同時に送風機３が所定風量となるので、レンジフード運転時に一時的に騒音が大きくなったり、異音が発生したり、フィルターがバタつくことがなく、使用者に不快感を与えることがないし、運転操作してからレンジフードが運転開始するまでの時間が短く、使用者に違和感を与えることがないと共に、煙等の発生の多い調理時に煙等がフード体から溢れて室内に拡散することがない。
【００２０】
また、制御部２１のマイクロコンピュータ２６によって送風機３の電動モータ６への通電時期を遅らせるだけであって、電動式排気シャッターにマイクロスイッチを設けなくとも良いから、コストが安くなるし、マイクロスイッチへの配線が不要でレンジフードの組立作業が簡単となる。
【００２１】
第３の発明によれば、レンジフードを停止する時に送風機３のファン５が低速回転となった後に電動式排気シャッター１０が閉作動開始するので、ファン５が惰性で高速回転している時に電動式排気シャッター１０が閉作動することがない。これによって、レンジフードの停止時に異音が発生したり、フィルターがバタつくことがなく、使用者に不快感を与えることがない。
【００２２】
第４の発明によれば、レンジフードを停止する時に送風機３のファン５が停止した後に電動式排気シャッター１０が閉作動開始するので、ファン５が惰性で高速回転している時に電動式排気シャッター１０が閉作動することがない。これによって、レンジフードの停止時に異音が発生したり、フィルターがバタつくことがなく、使用者に不快感を与えることがない。
【００２３】
【発明の実施の形態】
図１と図２に示すように、下面を開口した箱状のフード体１内にフィルター２と送風機３が設けてある。送風機３はファンケース４内にファン５を設け、電動モータ６でファン５を回転するようにしてある。
【００２４】
前記ファンケース４の吸込口７をフィルター２と対向し、吐出口８は排気経路、例えば排気ダクト９に連通している。この排気ダクト９に電動式排気シャッター１０が取付けてある。
【００２５】
前記電動式排気シャッター１０は、電動モータ１１で回転される軸１２にシャッター１３を取付けたもので、このシャッター１３が実線で示す全開状態と仮想線で示す全閉状態に亘って回転する。
【００２６】
具体的には、図３に示すように電動モータ１１は回転軸１４と出力軸１５を連結する電気作動式のクラッチ１６（例えば、ソレノイドに通電すると接、通電しないと切となるクラッチ）と、リミットスイッチ１７を内蔵している。前記出力軸１５が軸１２に連結してあり、この軸１２はスプリング１８で閉じ方向に回転付勢され、クラッチ１６が切であるとシャッター１３は図４に示すようにストッパー１９に当接して全閉状態に保持される。
【００２７】
そして、運転ボタンをＯＮして電動モータ１１に通電すると回転軸１４が回転すると共に、ソレノイドに通電されてクラッチ１６が接となり、回転軸１４の回転がクラッチ１６を介して出力軸１５に伝達されてシャッター１３がスプリング１８に抗して開き作動し、全開状態となるとリミットスイッチ１７がＯＮして電動モータ１１が停止すると共に、ソレノイドに通電され続ける。
【００２８】
停止ボタンをＯＮするとソレノイドに通電されなくなって、クラッチ１６が切となり、スプリング１８でシャッター１３が全閉状態となる。
【００２９】
前記フード体１の前面には操作パネル２０が取付けてあり、フード体１の後面寄り内部に制御部２１が取付けてある。
【００３０】
前記操作パネル２０には、図５に示すように強運転ボタン２２、中運転ボタン２３、弱運転ボタン２４、停止ボタン２５が設けてある。前記制御部２１は操作パネル２０からの指令信号で電動モータ６，１１に通電制御するもので、その通電制御のシーケンスが記憶されたマイクロコンピュータ２６を備えている。
【００３１】
次に、制御部２１の機能とともに運転動作を説明する。
強運転ボタン２２をＯＮして制御部２１に強運転指令信号を入力すると、マイクロコンピュータ２６は、まず電動式排気シャッター１１の電動モータ１１に通電する。
【００３２】
これによって、電動式排気シャッター１０のシャッター１３が開き作動する。
【００３３】
前記マイクロコンピュータ２６は、電動モータ１１に通電した後に第１設定時間経過すると送風機１１の電動モータ６に通電してファン５を回転する。この時の電動モータ６は強運転となって送風機１１の風量は最大となる。なお、中運転ボタン２３をＯＮした時には中運転となって風量が中となり、弱運転ボタン２４をＯＮした時には弱運転となって風量が小となる。
【００３４】
前述のマイクロコンピュータ２６に記憶された第１設定時間は、電動モータ１１に通電してからシャッター１３が全開状態となるまでの時間よりも短い時間であって、好ましくは電動モータ１１に通電してからシャッター１３が全開状態となるまでの時間から電動モータ６に通電してからファン５が所定回転速度にまでの時間（立上り時間）を差し引いた時間であって、実験データ等によって送風機３、電動式排気シャッター１０の種類、大きさ等に応じてあらかじめ記憶される。例えば、シャッター１３が全閉状態から全開状態になる時間７〜１０秒より短い時間、好ましくはシャッター１３が全閉状態から全開状態になる時間７〜１０秒から送風機３の立上り時間３〜５秒を差し引いた２〜５秒が第１設定時間となる。
【００３５】
前述のように、送風機３が駆動し、電動式排気シャッター１０が全開している運転状態で、停止ボタン２５をＯＮすると、制御部２１に停止指令信号が入力される。制御部２１は、まず送風機３の電動モータ６への通電を止めて送風機３を停止し、その後に第２設定時間経過したら電動式排気シャッター１０の電動モータ１１のソレノイドへの通電を止めてシャッター１３を全閉状態とする。
【００３６】
前述の第２設定時間は、電動モータ６への通電を止めてからファン５が完全に停止するまでの時間、例えば５〜８秒よりも短い時間、好ましくはファン５が完全に停止するまでの時間であって、実験データ等に基づいて送風機３の種類、大きさ等によってあらかじめ記憶する。
【００３７】
つまり、電動モータ６への通電を止めた直後にはファン５が惰性で高速回転しているため、この状態でシャッター１３を閉じ作動すると、従来と同様に送風機３の排気抵抗が大となり、通電されていないためにファン５の回転は上昇しないが、前述のように異音を発生するし、フィルターのバタつきも発生し、使用者に不快感を与える。
【００３８】
このことを防止するために、異音を発生しない程度の風量に見合うファン５の低速回転速度、好ましくはファン５が完全に停止した後に電動モータ１１のソレノイドへの通電を止める。
【００３９】
なお、電動式排気シャッター１０は、その電動モータ１１を正転・逆転することで全開、全閉状態となるものとしても良く、この場合には運転ボタンをＯＮした時に電動モータ１１を正転するように通電し、停止した時に電動モータ１１を逆転するように通電すれば良い。
【００４０】
【発明の効果】
第１の発明によれば、レンジフードを運転する時に電動式排気シャッター１０が開状態となった後に送風機３が所定風量となるので、レンジフード運転時に一時的に騒音が大きくなったり、異音が発生したり、フィルターがバタつくことがなく、使用者に不快感を与えることがないし、運転操作してからレンジフードが運転開始するまでの時間が短く、使用者に違和感を与えることがないと共に、煙等の発生の多い調理時に煙等がフード体から溢れて室内に拡散することがない。
【００４１】
また、制御部２１のマイクロコンピュータ２６によって送風機３の電動モータ６への通電時期を遅らせるだけであって、電動式排気シャッターにマイクロスイッチを設けなくとも良いから、コストが安くなるし、マイクロスイッチへの配線が不要でレンジフードの組立作業が簡単となる。
【００４２】
第２の発明によれば、レンジフードを運転する時に電動式排気シャッター１０が全開状態となると同時に送風機３が所定風量となるので、レンジフード運転時に一時的に騒音が大きくなったり、異音が発生したり、フィルターがバタつくことがなく、使用者に不快感を与えることがないし、運転操作してからレンジフードが運転開始するまでの時間が短く、使用者に違和感を与えることがないと共に、煙等の発生の多い調理時に煙等がフード体から溢れて室内に拡散することがない。
【００４３】
また、制御部２１のマイクロコンピュータ２６によって送風機３の電動モータ６への通電時期を遅らせるだけであって、電動式排気シャッターにマイクロスイッチを設けなくとも良いから、コストが安くなるし、マイクロスイッチへの配線が不要でレンジフードの組立作業が簡単となる。
【００４４】
第３の発明によれば、レンジフードを停止する時に送風機３のファン５が低速回転となった後に電動式排気シャッター１０が閉作動開始するので、ファン５が惰性で高速回転している時に電動式排気シャッター１０が閉作動することがない。これによって、レンジフードの停止時に異音が発生したり、フィルターがバタつくことがなく、使用者に不快感を与えることがない。
【００４５】
第４の発明によれば、レンジフードを停止する時に送風機３のファン５が停止した後に電動式排気シャッター１０が閉作動開始するので、ファン５が惰性で高速回転している時に電動式排気シャッター１０が閉作動することがない。これによって、レンジフードの停止時に異音が発生したり、フィルターがバタつくことがなく、使用者に不快感を与えることがない。
【図面の簡単な説明】
【図１】本発明の実施の形態を示すレンジフードの縦断面図である。
【図２】図１の前面図である。
【図３】電動式排気シャッターの拡大図である。
【図４】図３のＡ−Ａ断面図である。
【図５】運転制御装置のブロック説明図である。
【符号の説明】
１…フード体、２…フィルター、３…送風機、５…ファン、６…電動モータ、１０…電動式排気シャッター、１１…電動モータ、１３…シャッター、２０…操作パネル、２１…制御部、２２…強運転ボタン、２３…中運転ボタン、２４…弱運転ボタン、２５…停止ボタン、２６…マイクロコンピュータ。
【図１】
0003648616.tif 000002
【図２】
0003648616.tif 000003
【図３】
0003648616.tif 000004
【図４】
0003648616.tif 000005
【図５】
0003648616.tif 000006